(57)【要約】      （修正有）【課題】配置図作成者が特定領域の実地調査を行いつつ、容易に機器や座席の配置図を作成する配置図作成システムを提供する。【解決手段】配置図作成者が携帯する携帯機器とサーバとを有する。携帯機器は、配置図上に設置位置を記載する対象機器及びサーバと通信可能な第１の通信部と、対象機器から対象機器を一意に識別するデバイスＩＤを取得Ｓ５する取得部と、取得されたデバイスＩＤを有するデバイスアイコンを作成Ｓ７する作成部と、作成されたデバイスアイコンとレイアウト図を表示Ｓ１３する表示部と、表示されたレイアウト図上でのデバイスアイコンの位置を移動する指示を受け付ける操作入力部と、指示に基づき、レイアウト図上でのデバイスアイコンの位置を変更し、変更したデバイスアイコンの位置をサーバに登録Ｓ１４する登録部とを備える。サーバは、携帯機器と通信可能な第２の通信部と、レイアウト図及び配置図を記憶する記憶部とを備える。【選択図】図９
2016071612.tif 000002
【特許請求の範囲】
【請求項１】
配置図作成者が携帯する携帯機器と、前記携帯機器と無線により通信可能なサーバーとを有し、
前記携帯機器は、
特定領域において配置図上に設置位置を記載する対象機器および前記サーバーと通信可能な第１の通信部と、
前記第１の通信部を介して前記対象機器から前記対象機器を一意に識別するデバイスＩＤを取得する取得部と、
取得された前記デバイスＩＤを有するデバイスアイコンを作成するアイコン作成部と、
作成された前記デバイスアイコンと、前記サーバーから取得した、既設物のレイアウト図を表示する表示部と、
表示された前記レイアウト図上での前記デバイスアイコンの位置を移動する指示を前記配置図作成者から受け付ける操作入力部と、
受け付けられた前記指示に基づき、前記レイアウト図上での前記デバイスアイコンの位置を変更し、変更した前記デバイスアイコンの位置を前記サーバーに登録する指示を出す第１のアイコン位置登録部と
を備え、
前記サーバーは、
前記携帯機器と通信可能な第２の通信部と、
前記レイアウト図および前記配置図を記憶する記憶部と、
前記携帯機器の前記第１のアイコン位置登録部からの指示により、変更した前記デバイスアイコンの前記位置を、前記配置図に登録する第２のアイコン位置登録部と
を備える
配置図作成システム。
【請求項２】
請求項１に記載の配置図作成システムであって、
前記サーバーの前記記憶部は、
前記対象機器の属性データをさらに記憶しており、
前記携帯機器は、
取得された前記デバイスＩＤを用いて前記属性データを検索する指示を出す第１の検索部をさらに備え、
前記サーバーは、
前記携帯機器の前記第１の検索部からの指示により、前記属性データを検索し、検索結果を前記第１の検索部に返す第２の検索部をさらに備え、
前記携帯機器の前記アイコン作成部は、
前記検索結果に基づいて、検索された前記属性データへのリンク情報を持つ前記デバイスアイコンを作成する
配置図作成システム。
【請求項３】
請求項１または２に記載の配置図作成システムであって、
前記第１の通信部は、
ＮＦＣ通信により、前記対象機器から前記デバイスＩＤを取得する
配置図作成システム。
【請求項４】
請求項１から３のいずれか１つに記載の配置図作成システムであって、
前記携帯機器は、前記特定領域において従業員の座席位置が記載された配置図を作成するために前記配置図作成者に携帯され、
前記第１の通信部は、前記従業員の有する機器と通信可能であり、
前記取得部は、前記第１の通信部を介して前記従業員の有する機器から前記従業員を一意に識別する従業員ＩＤを取得し、
前記アイコン作成部は、取得された前記従業員ＩＤを有する従業員アイコンを作成し、
前記表示部は、作成された前記従業員アイコンと、前記サーバーから取得した、前記レイアウト図を表示し、
前記操作入力部は、表示された前記レイアウト図上での前記従業員アイコンの位置を移動する指示を前記配置図作成者から受け付け、
前記第１のアイコン位置登録部は、受け付けられた前記指示に基づき、前記レイアウト図上での前記従業員アイコンの位置を変更し、変更した前記従業員アイコンの位置を前記サーバーに登録する指示を出し、
前記サーバーの前記第２のアイコン位置登録部は、前記携帯機器の前記第１のアイコン位置登録部からの指示により、変更した前記従業員アイコンの前記位置を、前記配置図に登録する
配置図作成システム。
【請求項５】
配置図作成者が携帯する配置図作成装置であって、
特定領域において配置図上に設置位置を記載する対象機器と通信可能な通信部と、
既設物のレイアウト図および前記配置図を記憶する記憶部と、
前記通信部を介して前記対象機器から前記対象機器を一意に識別するデバイスＩＤを取得する取得部と、
取得された前記デバイスＩＤを有するデバイスアイコンを作成するアイコン作成部と、
作成された前記デバイスアイコンと、前記レイアウト図を表示する表示部と、
表示された前記レイアウト図上での前記デバイスアイコンの位置を移動する指示を前記配置図作成者から受け付ける操作入力部と、
受け付けられた前記指示に基づき、前記レイアウト図上での前記デバイスアイコンの位置を変更し、変更した前記デバイスアイコンの位置を前記配置図に登録するアイコン位置登録部と
を備える配置図作成装置。
【請求項６】
配置図作成者が携帯する携帯機器において、
特定領域において配置図上に設置位置を記載する対象機器から第１の通信部を介して前記対象機器を一意に識別するデバイスＩＤを取得し、
取得した前記デバイスＩＤを有するデバイスアイコンを作成し、
作成した前記デバイスアイコンと、既設物のレイアウト図を表示し、
表示した前記レイアウト図上での前記デバイスアイコンの位置を移動する指示を前記配置図作成者から受け付け、
受け付けた前記指示に基づき、前記レイアウト図上での前記デバイスアイコンの位置を変更し、変更した前記デバイスアイコンの位置をサーバーに登録する指示を出す
手順をコンピューターに実行させる配置図作成プログラム。
【発明の詳細な説明】
【技術分野】
【０００１】
本発明は、オフィス等のフロアに配置された機器等の配置図を作成する配置図作成システム、配置図作成装置、および配置図作成プログラムに関する。
【背景技術】
【０００２】
オフィス等において、フロアに導入された数多くの複合機（ＭＦＰ、Multifunction Peripheral）やＰＣ（Personal Computer）などの機器を管理者が管理する際に、フロア上の配置場所を把握しておくことは重要である。
【０００３】
機器の数が数百台以上と大規模になった場合でも機器の位置を適切に把握するために、管理者は機器等の配置図を作成して配置場所を把握することが行われてきた。そして、配置図を容易に作成するための様々な工夫が行われてきている。
【０００４】
例えば、特許文献１において開示されている技術では、フロアのレイアウト図の上に、プリンタなどの機器を表す機器オブジェクトを表示し、機器オブジェクト間の接続データに応じて機器オブジェクトどうしが結線オブジェクト（線）で結ばれる。プリンタオブジェクトには、そのプリンタがどのＰＣからデフォルトプリンタとして指定されているかを示す情報が付加される。
【０００５】
この技術では、表示するプリンタオブジェクトの表示態様を変化させることにより、プリンタの状態を表示している。また、レイアウト図上でプリンタオブジェクト等を配置する位置は、クライアントＰＣ上でユーザーがプリンタオブジェクトに対してドラッグ操作等を行うことにより調整される。
【先行技術文献】
【特許文献】
【０００６】
【特許文献１】特開２００６−２７７６０２号公報
【発明の概要】
【発明が解決しようとする課題】
【０００７】
特許文献１に記載されている技術では、配置図を作成するためには、管理者等が機器等の配置に関し、フロアの実地調査をして現状の配置状況を把握した後、クライアントＰＣの場所に戻り、取得した配置状況に合わせて配置データを作成しなければならず、管理者の負担が大きかった。
【０００８】
以上のような事情に鑑み、本発明の目的は、配置図作成者がフロアの実地調査を行いつつ容易に機器や座席の配置図を作成することが出来る配置図作成システム、配置図作成装置、および配置図作成プログラムを提供することにある。
【課題を解決するための手段】
【０００９】
上記目的を達成するため、本発明の一形態に係る配置図作成システムは、配置図作成者が携帯する携帯機器と、前記携帯機器と無線により通信可能なサーバーとを有し、前記携帯機器は、特定領域において配置図上に設置位置を記載する対象機器および前記サーバーと通信可能な第１の通信部と、前記第１の通信部を介して前記対象機器から前記対象機器を一意に識別するデバイスＩＤを取得する取得部と、取得された前記デバイスＩＤを有するデバイスアイコンを作成するアイコン作成部と、作成された前記デバイスアイコンと、前記サーバーから取得した、既設物のレイアウト図を表示する表示部と、表示された前記レイアウト図上での前記デバイスアイコンの位置を移動する指示を前記配置図作成者から受け付ける操作入力部と、受け付けられた前記指示に基づき、前記レイアウト図上での前記デバイスアイコンの位置を変更し、変更した前記デバイスアイコンの位置を前記サーバーに登録する指示を出す第１のアイコン位置登録部とを備え、前記サーバーは、前記携帯機器と通信可能な第２の通信部と、前記レイアウト図および前記配置図を記憶する記憶部と、前記携帯機器の前記第１のアイコン位置登録部からの指示により、変更した前記デバイスアイコンの前記位置を、前記配置図に登録する第２のアイコン位置登録部とを備える。そのため、配置図作成者がフロアの実地調査を行いつつ容易に機器や座席の配置図を作成することが出来る。
【００１０】
上記目的を達成するため、本発明の一形態に係る配置図作成システムでは、前記サーバーの前記記憶部は、前記対象機器の属性データをさらに記憶しており、前記携帯機器は、取得された前記デバイスＩＤを用いて前記属性データを検索する指示を出す第１の検索部をさらに備え、前記サーバーは、前記携帯機器の前記第１の検索部からの指示により、前記属性データを検索し、検索結果を前記第１の検索部に返す第２の検索部をさらに備え、前記携帯機器の前記アイコン作成部は、前記検索結果に基づいて、検索された前記属性データへのリンク情報を持つ前記デバイスアイコンを作成する構成でもよい。
【００１１】
上記目的を達成するため、本発明の一形態に係る配置図作成システムでは、前記第１の通信部は、ＮＦＣ通信により、前記対象機器から前記デバイスＩＤを取得する構成でもよい。
【００１２】
上記目的を達成するため、本発明の一形態に係る配置図作成システムでは、前記携帯機器は、前記特定領域において従業員の座席位置が記載された配置図を作成するために前記配置図作成者に携帯され、前記第１の通信部は、前記従業員の有する機器と通信可能であり、前記取得部は、前記第１の通信部を介して前記従業員の有する機器から前記従業員を一意に識別する従業員ＩＤを取得し、前記アイコン作成部は、取得された前記従業員ＩＤを有する従業員アイコンを作成し、前記表示部は、作成された前記従業員アイコンと、前記サーバーから取得した、前記レイアウト図を表示し、前記操作入力部は、表示された前記レイアウト図上での前記従業員アイコンの位置を移動する指示を前記配置図作成者から受け付け、前記第１のアイコン位置登録部は、受け付けられた前記指示に基づき、前記レイアウト図上での前記従業員アイコンの位置を変更し、変更した前記従業員アイコンの位置を前記サーバーに登録する指示を出し、前記サーバーの前記第２のアイコン位置登録部は、前記携帯機器の前記第１のアイコン位置登録部からの指示により、変更した前記従業員アイコンの前記位置を、前記配置図に登録する構成でもよい。
【００１３】
上記目的を達成するため、本発明の一形態に係る配置図作成装置は、配置図作成者が携帯する配置図作成装置であって、特定領域において配置図上に設置位置を記載する対象機器と通信可能な通信部と、既設物のレイアウト図および前記配置図を記憶する記憶部と、前記通信部を介して前記対象機器から前記対象機器を一意に識別するデバイスＩＤを取得する取得部と、取得された前記デバイスＩＤを有するデバイスアイコンを作成するアイコン作成部と、作成された前記デバイスアイコンと、前記レイアウト図を表示する表示部と、表示された前記レイアウト図上での前記デバイスアイコンの位置を移動する指示を前記配置図作成者から受け付ける操作入力部と、受け付けられた前記指示に基づき、前記レイアウト図上での前記デバイスアイコンの位置を変更し、変更した前記デバイスアイコンの位置を前記配置図に登録するアイコン位置登録部とを備える。
【００１４】
上記目的を達成するため、本発明の一形態に係る配置図作成プログラムは、配置図作成者が携帯する携帯機器において、特定領域において配置図上に設置位置を記載する対象機器から第１の通信部を介して前記対象機器を一意に識別するデバイスＩＤを取得し、取得した前記デバイスＩＤを有するデバイスアイコンを作成し、作成した前記デバイスアイコンと、既設物のレイアウト図を表示し、表示した前記レイアウト図上での前記デバイスアイコンの位置を移動する指示を前記配置図作成者から受け付け、受け付けた前記指示に基づき、前記レイアウト図上での前記デバイスアイコンの位置を変更し、変更した前記デバイスアイコンの位置をサーバーに登録する指示を出す手順をコンピューターに実行させる。
【発明の効果】
【００１５】
以上のように、本発明によれば、配置図作成者がフロアの実地調査を行いつつ容易に機器や座席の配置図を作成することが出来る。
【図面の簡単な説明】
【００１６】
【図１】本発明の一実施形態に係る配置図作成システムの概要と全体構成を示す図である。
【図２】本発明の一実施形態に係る配置図作成システムの概要を示す図である。
【図３】サーバー１０が一般的なコンピューターにより構成される場合の構成図である。
【図４】ＣＰＵ１１においてプログラムが実行されることにより実現される機能ブロック図である。
【図５】携帯機器２０が一般的なタブレット型コンピューターにより構成される場合の構成図である。
【図６】ＣＰＵ２１においてプログラムが実行されることにより実現される機能ブロック図である。
【図７】画像形成装置３０の構成図である。
【図８】機器４０の構成図である。
【図９】本発明の一実施形態に係る配置図作成システム１００における処理の流れについて説明するためのフローチャートである。
【発明を実施するための形態】
【００１７】
以下、図面を参照しながら、本発明の実施形態を説明する。
【００１８】
［概要と全体構成］
最初に、本発明の一実施形態に係る配置図作成システムの概要と全体構成について説明する。図１および図２は、本発明の一実施形態に係る配置図作成システムの概要と全体構成を示す図である。
【００１９】
配置図作成システム１００は、サーバー１０、配置図作成者がレイアウト図上に機器や従業員の位置を登録して作成する配置図の作成に用いる携帯機器２０、レイアウト図上に位置を登録する画像形成装置３０、レイアウト図上に位置を登録する従業員の機器４０を含んで構成される。サーバー１０と携帯機器２０との間は無線により通信が行われる。
【００２０】
図１に示す状態は、携帯機器２０を持った配置図作成者Ａが、オフィスの２階のフロアを巡回し、そこに置いてある画像形成装置３０に携帯機器２０をかざしてＮＦＣ（Near Field Communication）通信により、その画像形成装置３０のデバイスＩＤを取得している様子を示している。
【００２１】
また、図１では、別の携帯機器２０を持った配置図作成者Ｂが、オフィスの１階のフロアを巡回し、そこに座席がある従業員Ｃの持つ機器４０に携帯機器２０をかざしてＮＦＣ通信により、その機器４０に記憶されている従業員ＩＤを取得している様子も示している。
【００２２】
携帯機器２０は、取得したデバイスＩＤまたは従業員ＩＤに基づいて、サーバー１０に記憶している、画像形成装置３０や機器４０を持つ従業員の属性データを検索し、検索された属性データへのリンク情報を持った、デバイスアイコンまたは従業員アイコンを作成する。
【００２３】
作成されたアイコンは、携帯機器２０上でレイアウト図の上に表示される。図２の上側の図は、携帯機器３０の画面上において、デバイスアイコンが表示された状態を示した図である。
【００２４】
配置図作成者Ａは、図２の下側の図に示すように、レイアウト図上に表示された、画像形成装置３０を表すデバイスアイコンを実際の設置場所に対応した位置にドラッグした後、その位置をサーバー１０に登録させ、配置図を作成する。
【００２５】
図２の下側の図では、デバイスアイコンの近傍に、そのデバイスアイコンに対応する機器を識別するためのデバイスＩＤが表示されている。なお、デバイスアイコンの近傍にはデバイスＩＤに代えて配置図の利用者が識別し易い名称を表示してもよい。
【００２６】
このように、配置図作成者が、携帯機器２０を持って各フロアを巡回し、そこに設置されている画像形成装置３０などの機器やそこの座席に座っている従業員のＩＤを取得して対応するアイコンを生成し、実際の場所を見ながらレイアウト図上でアイコンの位置を動かすことにより、手間無く正確な配置図を作成することが出来る。
【００２７】
また、デバイスアイコンおよび従業員アイコンは、サーバー１０に記憶されている属性データへのリンク情報を持っているので、配置図の利用者が特定のアイコンを選択することにより、そのアイコンとリンクされたサーバー１０内の属性データを参照することが出来る。
【００２８】
なお、ここでの説明では、特定領域を示す各フロアの形状や、各フロアに既に設置されている什器（既設物）の配置のみが表された図をレイアウト図と称し、レイアウト図上にデバイスアイコンや従業員アイコンを配置したものを配置図と称して区別している。
【００２９】
また、上記の説明では、デバイスＩＤを取得するためにＮＦＣ通信を用いるとしたが、これに限らず、ＵＳＢ（Universal Serial Bus）などの有線通信や他の種類の無線通信を用いてもよい。画像形成装置３０等にデバイスＩＤを示すバーコードを貼っておき、そのバーコードを携帯機器２０に備えたスキャナーで読み取ってもよい。
【００３０】
また、携帯機器２０は、画像形成装置３０等のデバイスＩＤを取得するために、画像形成装置３０等に備えられているＭＩＢ（Management Information Base）内の情報を、ＳＮＭＰ（Simple Network Management Protocol）により取得してもよい。この構成では、特別な仕組みを画像形成装置３０等に追加することなく、携帯機器２０が画像形成装置３０等のデバイスＩＤを取得することが出来る。
【００３１】
また、上記の説明では、従業員ＩＤを取得するために、その従業員が持つ機器４０と携帯機器２０の間でＮＦＣ通信を行ったが、これに限らず、従業員が身につけるＩＤカードを非接触式のＩＣカードとし、携帯機器２０に備えた読取り機を用いて、そのＩＤカードから従業員ＩＤを読み取る構成でもよい。
また、上記の説明では、配置図作成システム１００はサーバー１０および１以上の携帯機器２０を有しているとしたが、この構成に限らず、サーバー１０と携帯機器２０を一体化して、１台の携帯機器２０'により配置図作成装置を構成してもよい。
【００３２】
以上、本発明の一実施形態に係る配置図作成システムの概要と全体構成について説明した。
【００３３】
［サーバー１０の構成］
次に、サーバー１０の構成について説明する。サーバー１０は、専用のハードウェアやソフトウェアにより構成されていてもよいし、一般的なコンピューターにより構成されてもよい。サーバー１０が一般的なコンピューターにより構成される場合の構成図を図３に示す。
【００３４】
図３に示すように、サーバー１０は、ＣＰＵ（Central Processing Unit）１１、ＲＯＭ（Read Only Memory）１２、ＲＡＭ（Random Access Memory）１３、操作入力部１４、通信部１５、表示部１６、および記憶部１７を有し、これら各ブロックがバス１８を介して接続されている。
【００３５】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）や、実行中の各種アプリケーション、処理中の各種データを一時的に保持する。
【００３６】
記憶部１７は、例えばＨＤＤ（Hard Disk Drive）や、フラッシュメモリー、その他の不揮発性メモリーである。記憶部１７には、ＯＳや各種アプリケーション、各種データに加え、後述するデバイスカタログデータテーブル１７ａ、デバイスデータテーブル１７ｂ、従業員データテーブル１７ｃ、レイアウトデータ１７ｄ、および配置図データ１７ｅが記憶される。
【００３７】
デバイスカタログデータテーブル１７ａは、オフィスのフロアに展開されている、画像形成装置３０などの機器の仕様に関するデータをデバイスＩＤと紐付けて記憶したものである。
【００３８】
デバイスデータテーブル１７ｂは、オフィスのフロアに展開されている、画像形成装置３０などの機器の、仕様以外の固有の属性データ、例えば機器の現在の状態をデバイスＩＤと紐付けて記憶したものである。
【００３９】
従業員データテーブル１７ｃは、オフィス内で座席の固定されている従業員の属性を従業員ＩＤと紐付けて記憶したものである。
【００４０】
レイアウトデータ１７ｄは、オフィスのレイアウト図を携帯機器２０の画面上に表示するための電子データである。
【００４１】
配置図データ１７ｅは、レイアウト図上に配置されたデバイスアイコンおよび従業員アイコンの位置を記憶させたデータである。
【００４２】
通信部１５は、携帯機器２０と情報のやりとりを行う。
【００４３】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６および記憶部１７を適宜制御する。
【００４４】
操作入力部１４は、例えばマウス等のポインティングデバイス、キーボード、タッチパネル、その他の操作装置である。
【００４５】
表示部１６は、例えば液晶ディスプレイ、ＥＬ（Electro-Luminescence）ディスプレイ、プラズマディスプレイ、ＣＲＴ（Cathode Ray Tube）ディスプレイ等である。表示部１６は、サーバー１０に内蔵されていてもよいし、外部接続されていてもよい。
【００４６】
次に、ＣＰＵ１１においてプログラムが実行されることにより実現される機能ブロックについて説明する。図４は、ＣＰＵ１１においてプログラムが実行されることにより実現される機能ブロックの図である。
【００４７】
サーバー１０のＣＰＵ１１において実現される機能ブロックは、検索部１１ａおよびアイコン位置登録部１１ｂである。
【００４８】
検索部１１ａは、配置図作成者の携帯機器２０において取得されたデバイスＩＤまたは従業員ＩＤに基づいて、デバイスカタログデータテーブル１７ａ、デバイスデータテーブル１７ｂ、または従業員データテーブル１７ｃを検索し、検索結果を携帯機器２０に通信部１５を介して、返信する。
【００４９】
アイコン位置登録部１１ｂは、携帯機器２０を使って、配置図作成者がレイアウト図上で定めたデバイスアイコンまたは従業員アイコンの位置の情報を取得し、取得した位置情報を配置図データ１７ｅとして記憶部１７に記憶させる。
【００５０】
以上、サーバー１０の構成について説明した。
【００５１】
［携帯機器２０の構成］
次に、携帯機器２０の構成について説明する。携帯機器２０もサーバー１０同様、専用のハードウェアやソフトウェアにより構成されていてもよいし、一般的なコンピューター、特に携帯に適したタブレット型コンピューターにより構成されてもよい。携帯機器２０が一般的なタブレット型コンピューターにより構成される場合の構成図を図５に示す。
【００５２】
図５に示すように、携帯機器２０の構成は、サーバー１０の構成とほぼ同じなので、重複する部分の説明は省略する。
【００５３】
記憶部２７には、サーバー１０の記憶部１７に記憶されているレイアウトデータ１７ｄのコピーが記憶されていてもよい。この構成により、レイアウト図を表示するために、サーバー１０からレイアウトデータ１７ｄを取得する構成に比べて、データを取得するための通信時間を削減したり、通信量を削減したりすることが出来る。
【００５４】
次に、ＣＰＵ２１においてプログラムが実行されることにより実現される機能ブロックについて説明する。図６は、ＣＰＵ２１においてプログラムが実行されることにより実現される機能ブロックの図である。
【００５５】
携帯機器２０のＣＰＵ２１において実現される機能ブロックは、選択部２１ａ、取得部２１ｂ、検索部２１ｃ、アイコン作成部２１ｄ、およびアイコン位置登録部２１ｅである。
【００５６】
選択部２１ａは、操作入力部２４から入力された配置図作成者の指示に従い、デバイスアイコン作成処理または従業員アイコン作成処理を選択する。
【００５７】
取得部２１ｂは、デバイスアイコン作成処理の場合は、画像形成装置３０等と通信し、画像形成装置３０等からデバイスＩＤを取得し、従業員アイコン作成処理の場合は、従業員の持つ機器４０等と通信するなどして従業員ＩＤを取得する。
【００５８】
検索部２１ｃは、取得部２１ｂにより取得されたデバイスＩＤまたは従業員ＩＤを用いて、サーバー１０に記憶されているデバイスの属性情報（デバイスデータ、デバイスカタログデータ）や従業員の属性情報を検索する。
【００５９】
アイコン作成部２１ｄは、検索部２１ｃにより検索されたサーバー１０上の属性情報へのリンクを持ったデバイスアイコンまたは従業員アイコンを作成する。
【００６０】
アイコン位置登録部２１ｅは、作成され携帯機器２０の画面上に表示されたデバイスアイコンまたは従業員アイコンを配置図作成者がレイアウト図上で移動させ決定した位置を認識し、認識した位置をサーバー１０に登録する。
【００６１】
以上、携帯機器２０の構成について説明した。
【００６２】
［画像形成装置３０の構成］
次に、画像形成装置３０の構成について説明する。図７は、画像形成装置３０の構成図である。なお、ここでは、上述したように、画像形成装置３０から携帯機器２０へデバイスＩＤを渡す複数の方法のうち、画像形成装置３０が携帯機器２０と通信してデバイスＩＤを渡す場合の構成を説明する。
【００６３】
画像形成装置３０は、制御部３１を備える。制御部３１は、ＣＰＵ、ＲＡＭ、ＲＯＭ、および専用のハードウェア回路等から構成され、画像形成装置３０の全体的な動作制御を司る。
【００６４】
制御部３１は、原稿読取部３２、画像処理部３３、画像メモリー３４、画像形成部３５、操作部３６、ファクシミリ通信部３７、通信部３８、記憶部３９等と接続されている。制御部３１は、接続されている上記各部の動作制御や、各部との間での信号又はデータの送受信を行う。
【００６５】
制御部３１は、ユーザーから、操作部３６またはネッワーク接続されたＰＣ等を通じて入力されるジョブの実行指示に従って、スキャナー機能、印刷機能、コピー機能、およびファクシミリ送受信機能などの各機能についての動作制御を実行するために必要な機構の駆動及び処理を制御する。
【００６６】
また、制御部３１は、応答部３１ａを有している。応答部３１ａは、ＲＯＭなどからＲＡＭにロードされたプログラムがＣＰＵにより実行されることで実現される機能ブロックである。
【００６７】
応答部３１ａは、携帯機器２０から通信部３８を介して受信した、画像形成装置３０のデバイスＩＤの取得要求に対して、デバイスＩＤを応答する。
【００６８】
原稿読取部３２は、原稿から画像を読み取る。
【００６９】
画像処理部３３は、原稿読取部３２で読み取られた画像の画像データを必要に応じて画像処理する。例えば、画像処理部３３は、原稿読取部３２により読み取られた画像が画像形成された後の品質を向上させるために、シェーディング補正等の画像処理を行う。
【００７０】
画像メモリー３４は、原稿読取部３２による読み取りで得られた原稿画像のデータを一時的に記憶したり、画像形成部３５での印刷対象となるデータを一時的に記憶したりする領域である。
【００７１】
画像形成部３５は、原稿読取部３２で読み取られた画像データ等の画像形成を行う。
【００７２】
操作部３６は、画像形成装置３０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部３６ａを備えている。
【００７３】
ファクシミリ通信部３７は、図示しない符号化／復号化部、変復調部、およびＮＣＵ（Network Control Unit）を備え、公衆電話回線網を用いてのファクシミリの送信を行う。
【００７４】
通信部３８は、ローカルエリア内の装置(ＰＣ等)と種々のデータの送受信を行ったり、ＮＦＣ通信を用いて携帯機器２０等とデータの送受信を行ったりする。
【００７５】
記憶部３９は、原稿読取部３２によって読み取られた原稿画像等を記憶したり、画像形成装置３０のデバイスＩＤ３９ａを記憶したりする。記憶部３９は、ＨＤＤなどの大容量の記憶装置である。
【００７６】
以上、画像形成装置３０の構成について説明した。
【００７７】
［機器４０の構成］
次に、従業員が持ち、携帯機器２０から要求されると機器４０を持っている従業員の従業員ＩＤを応答する機器４０の構成について説明する。図８は、機器４０の構成図である。なお、ここでは、上述したように、携帯機器２０が従業員ＩＤを取得する複数の方法のうち、従業員が持つ機器４０が携帯機器２０と通信して従業員ＩＤを渡す場合の構成を説明する。
【００７８】
機器４０は、従業員ＩＤを応答できる機器であれば、どのような機器でもよいが、ここでは一般的なコンピューターを用いた場合の構成を説明する。なお、一般的なコンピューターの構成としては、サーバー１０または携帯機器２０として上述しているので、ここでは、サーバー１０や携帯機器２０と相違する箇所についてのみ説明する。
【００７９】
ＣＰＵ４１において実行されるプログラムにより、応答部４１ａが実現される。応答部４１ａは、携帯機器２０から通信部４５を介して受信した、機器４０を持つ従業員の従業員ＩＤの取得要求に対して、記憶部４７に記憶されている従業員ＩＤ４７ａを応答する。
【００８０】
以上、機器４０の構成について説明した。
【００８１】
［処理の流れ］
次に、本発明の一実施形態に係る配置図作成システム１００における処理の流れについて説明する。図９は、本発明の一実施形態に係る配置図作成システム１００における処理の流れについて説明するためのフローチャートである。
【００８２】
まず、携帯機器２０の選択部２１ａが、操作入力部２４を介して、配置図上に、画像形成装置３０等の機器のデバイスアイコンを配置（マッピング）する作業を行うのか、従業員の座席の位置を示す従業員アイコンを配置する作業を行うのかの指示を配置図作成者から受け付ける（ステップＳ１）。
【００８３】
次に、選択部２１ａは、受け付けた指示がデバイスアイコンのマッピングであるか従業員アイコンのマッピングであるかを判断する（ステップＳ２）。
【００８４】
受け付けた指示がデバイスアイコンのマッピングである場合（ステップＳ２のＹ）、配置図作成システム１００においてデバイスアイコンをマッピングする処理が行われる。
【００８５】
配置図作成者は、配置図を作成する対象となるフロアを、携帯機器２０を持って巡回する（ステップＳ３）。
【００８６】
配置図作成者は、マッピング対象となる画像形成装置３０等に遭遇すると、その画像形成装置３０等に携帯機器２０をかざしたり接触させたりしてＮＦＣ通信を行わせる（ステップＳ４）。
【００８７】
次に、携帯機器２０の取得部２１ｂは、画像形成装置３０等からその機器のデバイスＩＤ３９ａを取得する（ステップＳ５）。
【００８８】
次に、携帯機器２０の検索部２１ｃは、サーバー１０の検索部１１ａと連携して、前ステップで取得されたデバイスＩＤ３９ａを用いて、サーバー１０の記憶部１７に記憶しているデバイスカタログデータテーブル１７ａおよびデバイスデータテーブル１７ｂを検索する（ステップＳ６）。
【００８９】
次に、アイコン作成部２１ｄが、前ステップで検索されたデバイスカタログデータおよびデバイスデータへのリンク情報を持ったデバイスアイコンを作成する（ステップＳ７）。
【００９０】
次に、アイコン位置登録部２１ｅが、携帯機器２０の表示部２６の画面上に、レイアウト図と重ねて、前ステップで作成されたデバイスアイコンを、仮の位置に表示する（ステップＳ１３）。
【００９１】
次に、配置図作成者が、画面上に表示されたデバイスアイコンの位置をレイアウト図上の適切な位置に、ドラッグ操作等により移動させる。アイコン位置登録部２１ｅは、配置図作成者が決定したデバイスアイコンの位置を認識し、認識した位置の位置情報をサーバー１０上のアイコン位置登録部１１ｂを連携して、サーバー１０の記憶部１７に配置図データ１７ｅとして記憶させる（ステップＳ１４）。
【００９２】
次に、ＣＰＵ１１は、配置図の作成処理が完了したかを、配置図作成者からの入力等により判断する（ステップＳ１５）。
【００９３】
配置図の作成が完了していない場合（ステップＳ１５のＮ）、ＣＰＵ１１は、ステップ１に戻り処理を繰り返す。
【００９４】
配置図の作成が完了した場合（ステップＳ１５のＹ）、ＣＰＵ１１は処理を終了する。
【００９５】
また、ステップＳ２において受け付けた指示が従業員アイコンのマッピングである場合（ステップＳ２のＮ）、配置図作成システム１００において従業員アイコンをマッピングする処理が行われる。
【００９６】
配置図作成者は、配置図を作成する対象となるフロアを、携帯機器２０を持って巡回する（ステップＳ８）。
【００９７】
配置図作成者は、マッピング対象となる従業員に遭遇すると、その従業員が持つ機器４０に携帯機器２０をかざしたり接触させたりしてＮＦＣ通信を行わせる（ステップＳ９）。
【００９８】
次に、携帯機器２０の取得部２１ｂは、機器４０からその機器４０を持つ従業員の従業員ＩＤ４７ａを取得する（ステップＳ１０）。
【００９９】
次に、携帯機器２０の検索部２１ｃは、サーバー１０の検索部１１ａと連携して、前ステップで取得された従業員ＩＤ４７ａを用いて、サーバー１０の記憶部１７に記憶している従業員データテーブル１７ｃを検索する（ステップＳ１１）。
【０１００】
次に、アイコン作成部２１ｄが、前ステップで検索された従業員データへのリンク情報を持った従業員アイコンを作成する（ステップＳ１２）。
【０１０１】
なお、従業員アイコンを作成した後の処理は、デバイスアイコンを作成した場合と同じなので説明を省略する。
【０１０２】
以上、本発明の一実施形態に係る配置図作成システム１００における処理の流れについて説明した。
【０１０３】
［補足事項］
その他、本発明は、上述の実施形態にのみ限定されるものではなく、本発明の要旨を逸脱しない範囲内において種々変更を加え得ることは勿論である。
【符号の説明】
【０１０４】
１０  …  サーバー
１１  …  ＣＰＵ
１１ａ…  検索部
１１ｂ…  アイコン位置登録部
１２  …  ＲＯＭ
１３  …  ＲＡＭ
１４  …  操作入力部
１５  …  通信部
１６  …  表示部
１７  …  記憶部
１７ａ…  デバイスカタログデータテーブル
１７ｂ…  デバイスデータテーブル
１７ｃ…  従業員データテーブル
１７ｄ…  レイアウトデータ
１７ｅ…  配置図データ
１８  …  バス
２０  …  携帯機器
２１  …  ＣＰＵ
２１ａ…  選択部
２１ｂ…  取得部
２１ｃ…  検索部
２１ｄ…  アイコン作成部
２１ｅ…  アイコン位置登録部
２２  …  ＲＯＭ
２３  …  ＲＡＭ
２４  …  操作入力部
２５  …  通信部
２６  …  表示部
２７  …  記憶部
２８  …  バス
３０  …  画像形成装置
３１  …  制御部
３１ａ…  応答部
３２  …  原稿読取部
３３  …  画像処理部
３４  …  画像メモリー
３５  …  画像形成部
３６  …  操作部
３７  …  ファクシミリ通信部
３８  …  通信部
３９  …  記憶部
３９ａ…  デバイスＩＤ
４０  …  機器
４１  …  ＣＰＵ
４１ａ…  応答部
４７  …  記憶部
４７ａ…  従業員ＩＤ
１００  …  配置図作成システム
【図１】
2016071612.tif 000003
【図２】
2016071612.tif 000004
【図３】
2016071612.tif 000005
【図４】
2016071612.tif 000006
【図５】
2016071612.tif 000007
【図６】
2016071612.tif 000008
【図７】
2016071612.tif 000009
【図８】
2016071612.tif 000010
【図９】
2016071612.tif 000011